(57)【特許請求の範囲】
【請求項１】
少なくとも二つの連結された本体部材からなる電子情報装置本体を第１状態から第２状態に変形させた際に要した第１時間を計時して第２時間を定める第１の工程と、
前記第２状態に変形してから前記第２時間が経過するまで第２状態が維持されると、前記電子情報装置本体の一部の機能を規制する第２の工程と、
を有する、電子情報装置の機能規制方法。
【請求項２】
前記第１状態は前記２つの連結された本体部材が開いた状態であって、
前記第２状態は前記２つの連結された本体部材が閉じた状態である、請求項１記載の電子情報装置の機能規制方法。
【請求項３】
前記機能規制工程は、前記電子情報装置本体の入力操作部における少なくとも解除用の暗証番号の入力操作以外の入力を無効とする、請求項１または２に記載の電子情報装置の機能規制方法。
【請求項４】
少なくとも二つの連結された本体部材からなる電子情報装置本体と、
前記電子情報装置本体の第１状態及び第２状態を検出する検出手段と、
前記電子情報装置本体が前記第１状態から前記第２状態に変形された際に要した第１時間に応じて第２時間を定めるとともに、前記第２状態に変形してから前記第２時間が経過すると前記電子情報装置本体の少なくとも一部の機能を規制する制御手段と、
を備える、電子情報装置。
【発明の詳細な説明】
【技術分野】
【０００１】
本発明は、電子情報装置及びその機能規制方法に関するものである。
【背景技術】
【０００２】
近年、携帯電話機のような電子情報装置は、その性能の向上から、大容量の電話番号登録機能、電子メール送受信機能など高機能化が急速に進んでいる。しかしながら、この高機能化に伴って、携帯電話機のメモリには、個人の名前や電話番号、電子メールアドレスといったプライバシーを含んだ個人情報が大量に保存されるようになっている。これら大量の個人情報が第三者によって不正に使用されることはプライバシーの問題にもなり、第三者による不正を防止する手段が必要となっている。
【０００３】
このような所有者以外の第三者による不正使用を防ぐ手段として、従来の携帯電話機にはダイヤルロック機能が搭載されている。従来のダイヤルロック機能は、携帯電話機の開閉検出後に、予め記憶された設定情報に基づいてダイヤルロックを行う機能を有し、さらに、タイマーや計時機能を利用してダイヤルロックする時間及びその時間帯を設定する機能を有している（例えば、特許文献１参照）。
【特許文献１】特開２００４−３４３６７７号公報
【発明の開示】
【発明が解決しようとする課題】
【０００４】
しかし、上記したようなダイヤルロック機能では、携帯電話機を閉じてからダイヤルロックされるまでの時間やダイヤルロックされる時間帯が、予め設定された時間で固定となっているため、携帯電話機を閉じて一定の時間が経過すると必ずダイヤルロックされてしまう。このように、一旦設定された時間は、ユーザが入力操作部からの操作によって設定をやり直さない限り変更することができない。そのため、ダイヤルロックが掛かって欲しいときにロックされず、ダイヤルロックが掛かって欲しくないときにロックされてしまうという問題があった。
例えば、ユーザの都合によって閉じてから直ぐにダイヤルロックが掛かって欲しい場合と、ある程度時間が経過した後にダイヤルロックが掛かって欲しい場合とがあるが、その都度設定を変更しなければならないのでは利便性がよくない。このような設定の煩わしさから設定忘れが発生することもあった。
また、操作性が低下する虞があることからダイヤルロック機能を使用しないユーザも多い。
【０００５】
本発明は、上記従来技術の問題点に鑑み成されたものであって、電子情報装置の機能を規制するまでの時間設定を容易にし、操作利便性を高く保持した電子情報装置及びその機能規制方法を提供することを目的としている。
【課題を解決するための手段】
【０００６】
本発明の電子情報装置の機能規制方法は、少なくとも二つの連結された本体部材からなる電子情報装置本体を第１状態から第２状態に変形させた際に要した第１時間を計時して第２時間を定める第１の工程と、前記第２状態に変形してから前記第２時間が経過するまで第２状態が維持されると、前記電子情報装置本体の一部の機能を規制する第２の工程と、を有する。
【０００８】
また、本発明においては、前記第１状態は前記２つの連結された本体部材が開いた状態であって、前記第２状態は前記２つの連結された本体部材が閉じた状態である。
【０００９】
また、本発明においては、前記機能規制工程は、前記電子情報装置本体の入力操作部における少なくとも解除用の暗証番号の入力操作以外の入力を無効とする。
【００１０】
本発明の電子情報装置は、少なくとも二つの連結された本体部材からなる電子情報装置本体と、前記電子情報装置本体の第１状態及び第２状態を検出する検出手段と、前記電子情報装置本体が前記第１状態から前記第２状態に変形された際に要した第１時間に応じて第２時間を定めるとともに、前記第２状態に変形してから前記第２時間が経過すると前記電子情報装置本体の少なくとも一部の機能を規制する制御手段と、を備える。
【発明の効果】
【００１１】
本発明によれば、電子情報装置を第１状態（開状態）から第２状態（閉状態）に変形させた際に要した時間に応じて、第２状態としてから電子情報装置の機能の少なくとも一部を規制するまでの時間を、ユーザの都合によって自在に調整することが可能となる。これにより必要なときに所望の機能規制を行うことができるので利便性が向上する。また、機能規制するまでの時間は、電子情報装置を第１状態から第２状態へと変形させる操作を行うだけで決定することができるので操作性も向上し、機能の規制をより効果的に行うことができる。
【発明を実施するための最良の形態】
【００１２】
以下、本発明の実施形態につき、図面を参照して説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１３】
図１は、本実施形態における携帯電話機の全体構成を説明する図であって、（ａ）は携帯電話機の利用時の状態（開状態）を示す斜視図、（ｂ）は開状態から閉状態へ移行する途中の状態を示す斜視図、（ｃ）は収納時の状態（閉状態）を示す斜視図である。
携帯電話機１００は、キー入力部５（入力操作部）を一面に有する第１の筐体１（本体部材）と、画面表示部９を一面に有する第２の筐体２（本体部材）とがヒンジ３を介して結合された携帯電話機本体１００Ａ（電子情報装置本体）を有し、画面表示部９とキー入力部５とが対向して互いの筐体１，２が重ね合わさる状態で折畳み収納される。また、図１（ａ）に示すように開いた形で通常の使用がなされる。
【００１４】
ヒンジ３は、第２の筐体２の上面（第１の筐体１側の面）に突設された膨出部７が、第１の筐体１の端部に形成された一対の軸受部８の間に介装され、両軸受部８と膨出部７に跨る図示しないヒンジピンによって第１の筐体１と第２の筐体２とを回動自在に連結するようになっている。つまり、図１（ａ）に示すように第１の筐体１と第２の筐体２とのなす角が１８０度に近い状態で操作状態（開状態）とされ、図１（ｃ）に示すように第１の筐体１と第２の筐体２とのなす角が略０度で折り畳み状態（閉状態）とされる。なお、開状態時における第１の筐体１と第２の筐体２とのなす角はこれに限ったものではない。
【００１５】
また、第１の筐体１の内面（第１の筐体との重ね合わせ面）には、ヒンジ３と逆側の端部の近傍に送話用のマイクロフォン６が設けられている。そして、キー入力部５は、通話キー、終話キー、数字キー等の押圧操作可能な複数の操作キー４を備えている。
【００１６】
第２の筐体２の外面（第２の筐体との重ね合わせ面）には、ヒンジ３と逆側の端部の近傍に、受話用のスピーカー１０が設けられている。また、第２の筐体２の外面、すなわち携帯電話機１００を閉じた状態で外側に露出する面に、サブ表示部１１が備えられている。該サブ表示部１１には、現在時刻、日付などが表示され、更に本実施形態では、後述するキーロック状態あるいはロック解除状態などが表示される。
【００１７】
さらに、第２の筐体２の側面にはサイドキー１２が具備されている。該サイドキー１２は係る携帯電話機１００を閉じた状態においても外面に露出する位置に設けられ、例えば着信への応答及び応答保留時、利用時の選択画面における上下選択や確定処理、更には携帯電話機１００の各種機能の選択にも利用される。
【００１８】
図２は本発明の一実施形態に係る携帯電話機のブロック図である。なお、図２においては、図１に示した部材に相当するものは同一の符号を付してある。
図２に示すように、本実施形態の携帯電話機１００は、キー入力部５、表示部２６、メモリ２０、無線送受信部２１、信号処理部２２、設定記憶部２３、開閉検出センサ２４、第１計時部２５Ａ、第２計時部２５Ｂ、本体制御部２７、キーロック制御部２８を備えている。
【００１９】
本体制御部２７は、図１に示す携帯電話機１００の各部を制御することにより携帯電話機１００の各種機能設定などの主動作を制御する機能を有し、呼び出し機能を含む他装置との無線送受信部２１、着信応答時の音声情報の処理を行う信号処理部２２、これらの主動作を入力指示するキー入力部５、各種制御プログラムを記憶を記憶するメモリ２０、液晶画面からなる画面表示部９及びサブ表示部１１を備えた表示部２６、開閉検出センサ２４、第１計時部２５Ａ及び第２計時部２５Ｂが接続されている。
表示部２６は、携帯電話機１００が開状態のときに、キー入力部５の操作に基づいた本体制御部２７の処理に従い画面表示部９への表示を行う。なお、サブ表示部１１に表示を行うようにしてもよい。
【００２０】
開閉検出センサ２４は、携帯電話機１００の開閉状態を検出するもので、第１の筐体１と第２の筐体２とが開状態（図１（ａ））なのかあるいは閉状態（図１（ｃ））なのかを検出する。開閉検出センサ２４としては、各種の形式のものが採用可能であり、例えば、開状態あるいは閉状態をそれぞれ検出する一対のスイッチ（押圧スイッチ、光学スイッチ、磁気センサなど）や可変抵抗により第１の筐体１と第２の筐体２との開閉状態を検出するものなどがある。この開閉検出センサ２４は、ヒンジ３の近傍や、第１の筐体１あるいは第２の筐体２の互いに対向する面側に設けるか、その他の部分に設けることも可能である。
【００２１】
第１計時部２５Ａは、携帯電話機１００を開状態から閉状態に変形されるまでの時間を計時するものである。また、第２計時部２５Ｂは、携帯電話機１００の閉状態が解除された時点からダイヤルロックを起動するまでの時間を計時するものである。
【００２２】
メモリ２０は、キーロック制御部２８で用いられる制御情報を記憶する設定記憶部２３を有している。この設定記憶部２３は、例えば、閉状態を検出してからダイヤルロックを起動するまでの時間を第１計時部２５Ａで検出した時間に応じて可変とする設定や、ダイヤルロック時に規制する機能（アプリケーション）情報、あるいはユーザによって設定されたダイヤルロック解除用の暗証番号情報などが格納されている。
【００２３】
本体制御部２７は、携帯電話機１００の機能の一部を規制する機能を有するキーロック制御部２８を備えている。該キーロック制御部２８は、開閉検出センサ２４からの出力に基づいて携帯電話機１００の開状態または閉状態を検知するとともに、第１計時部２５Ａからの出力に応じて第２計時部２５Ｂにおいて計時する時間（ダイヤルロックされるまでの時間）を決定する。そして、第２計時部２５Ｂにおける計時が終了した場合にダイヤルロック処理を実行する。キーロック制御部２８は、ダイヤルロック中の場合に所定の機能、例えば着信以外の動作を禁止するとともに、ユーザによる操作キー４の操作において少なくともダイヤルロック解除用の暗証番号以外の入力を無効とする。
【００２４】
［ダイヤルロック方法］
図３は本実施形態に係るダイヤルロック機能の設定処理を示すフローチャートである。また、図４に、携帯電話機を閉じるまでの時間と、閉じてからダイヤルロックされるまでの時間との関係の一例について示す。
【００２５】
図３に示すフローチャートに従った処理は、携帯電話機１００を開状態としたときに開始される。
まず、開状態とされた携帯電話機１００がダイヤルロック中かどうかを判定する（ステップＳ１）。
ステップＳ１において、キーロック制御部２８によるダイヤルロック処理が実行中（ダイヤルロック中）であるかどうかを確認する。そして、その判断結果が「Ｎｏ」とされてダイヤルロック中でない場合には、ユーザによる次の操作があるまで待機する。一方、ダイヤルロック中であった場合には「Ｂ」へ移行して処理を終了し、ダイヤルロックをそのまま継続するかあるいはダイヤルロックを解除する操作を行う。ダイヤルロックを解除するための動作フローについては後述する。
【００２６】
そして、ダイヤルロック中でないときに、ユーザが携帯電話機１００を閉じ始めた場合には、開閉検出センサ２４からの出力によりキーロック制御部２８が携帯電話機１００の開状態が解除されたことを検知する（ステップＳ２）。
【００２７】
ステップＳ２において、キーロック制御部２８での判断結果が「Ｙｅｓ」とされて携帯電話機１００の開状態が解除されたことが確認されると、第１計時部２５Ａにおけるタイマカウントを開始する（ステップＳ３）。第１計時部２５Ａは、携帯電話機１００の開状態が解除された時点から閉状態を検出するまでの時間経過をカウントする。カウント中、キーロック制御部２８は開閉検出センサ２４によって携帯電話機１００の開閉状態の監視を行う。そして、キーロック制御部２８が開閉検出センサ２４からの出力を受けて携帯電話機１００の閉状態を検出すると（ステップＳ４）、第１計時部２５Ａにおけるタイマカウントを終了する（ステップＳ５）。キーロック制御部２８は、第１計時部２５Ａからのカウント開始およびカウント終了の出力によって、携帯電話機１００の開状態から閉状態に変位するまでに要した時間Ｔ１を検出する。
【００２８】
一方、第１計時部２５Ａにおけるタイマカウント中にユーザが携帯電話機１００を再び開いてキーロック制御部２８が開閉検出センサ２４からの出力により開状態を検出した場合には、第１計時部２５Ａによるタイマカウントをリセットして「Ａ」へと移行する。
【００２９】
次に、キーロック制御部２８は、ユーザによって予め設定された条件に基づいて、上記第１計時部２５Ａによって検出された時間Ｔ１からダイヤルロックタイマーＴ２を決定する（ステップＳ６）。ダイヤルロックタイマーＴ２とは、閉状態とされてからダイヤルロック処理が実行されるまでの時間のことである。
ここで、予めユーザが、ダイヤルロックタイマーＴ２を時間Ｔ１の何倍にするかなどの設定を行っておくことによりダイヤルロックタイマーＴ２が算出される。例えば、開状態から閉状態に変位するまでに要した時間Ｔ１が１０秒であった場合、閉状態が検出されてからダイヤルロックが起動されるまでの時間Ｔ２を６０倍の１０分に決定するような設定を行っておく。
【００３０】
また、例えば図４に示すようなＴ１とＴ２の関係を示すようなテーブルを予め作成しておくことが好ましい。第１計時部２５Ａにおいて検出された時間Ｔ１が０〜１秒であった場合は、携帯電話機１００の閉状態を検出した時点から即時（Ｔ２＝０秒）にダイヤルロックを起動し、時間Ｔ１が１〜２秒であった場合は携帯電話機１００の閉状態を検出してから５秒後（Ｔ２＝５秒）にダイヤルロックを起動するというようにパラメータを設定しておくことで、ユーザが任意に設定できる。
また本ステップでは、キーロック制御部２５が、第２計時部２５ＢによりダイヤルロックタイマーＴ２の減算カウントを開始する。
【００３１】
そして、ダイヤルロック処理を実行するまでのカウントダウン中、キーロック制御部２８は、開閉検出センサ２４により携帯電話機１００の開閉状態を監視する（ステップＳ７）。そして、携帯電話機１００の閉状態が維持された（すなわち、閉状態の解除が検出されない）ままダイヤルロックタイマーＴ２の減算カウントが終了（Ｔ２＝０：タイムアップ）し、所定時間が経過した場合には（ステップＳ８）、キーロック制御部２５が、ユーザによって予め設定された条件に基づいてダイヤルロック処理を実行する（ステップＳ９）。
【００３２】
一方、ダイヤルロックタイマーＴ２を減算カウント中、開閉検出センサ２４により携帯電話機１００の閉状態が解除されると、すなわち開状態を検出するとキーロック制御部２８の判断結果が「Ｙｅｓ」とされ（ステップＳ７）、第２計時部２５ＢにおけるダイヤルロックタイマーＴ２のカウントダウンを停止する（ステップＳ１０）。そして、「Ａ」へと戻る。
なお、本実施形態では、ダイヤルロックタイマーＴ２を減算カウントするとしたが、加算カウントしてもよい。
【００３３】
［ダイヤルロック解除方法］
次に、ダイヤルロック機能の解除処理について説明する。
ユーザによって携帯電話機１００が開状態とされたときに、当該携帯電話機１００がダイヤルロック中であった場合には（図３のステップＳ１）、ユーザからの暗証番号の入力操作を待つ。そして、操作キー４からの入力操作により番号が入力されると、キーロック制御部２８は予め設定された暗証番号と一致しているかどうかを判定し、正しい暗証番号が入力されるとダイヤルロックを解除する。
【００３４】
以上述べたように、本実施形態では、携帯電話機１００を閉じるまでに掛かる時間によって、携帯電話機１００を閉じてからダイヤルロックが掛かるまでの時間を自由に調整することができる。つまり、第１計時部２５Ａの検出結果に応じてダイヤルロックタイマーＴ２の時間を異ならせることにより、必要なときにダイヤルロックを起動させることができるので利便性が向上する。例えば、携帯電話機１００をしばらく使用しない場合には、素早く携帯電話機１００を閉じることで即時ロックが可能となり、セキュリティー性を向上することができる。また、時間をかけてゆっくりと閉じる操作を行えば、ユーザが数分後にかけ直しの予定がある場合などに便利である。
【００３５】
また、本実施形態によれば、ダイヤルロックが起動するまでの時間を携帯電話機１００を閉じる操作を行うだけで決定することができるので、従来のように入力操作をその都度行わなくても良いことから操作性が向上し、使い勝手が良いものとなる。
【００３６】
このように、使用後、どのタイミングでダイヤルロックを行うかをユーザの都合によって設定できるようになっているため、操作性及びセキュリティーの向上を高めることができ、ユーザの使用形態に応じた携帯電話機１００を提供することができる。
【００３７】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００３８】
例えば、本実施形態では電子情報装置として、図１に示されるような折畳式の携帯電話機を例に挙げて説明したが、これに限らず、第１の筐体と第２の筐体とがヒンジで連結されて回動動作を行う回転型の携帯電話機、第１の筐体と第２の筐体とがハートカム機構などによってスライド動作を行うスライド型の携帯電話機などにも適用することが可能である。回転型の携帯電話機の場合、第１の筐体と第２の筐体とが厚さ方向で重なり合う状態を収納した閉状態とし、互いの重なり面に沿って一方の筐体が他方の筐体に対して一方向に回転した状態を展開した開状態とする。スライド型の携帯電話機の場合、第１の筐体と第２の筐体とが厚さ方向で重なり合う状態を収納した閉状態とし、互いの重なり面に沿って一方の筐体が他方の筐体に対してスライドした状態を展開した開状態とする。
また、筐体に対して蓋体が連結されたフリップタイプのものについても適用することができ、この場合には筐体に対する蓋体の開閉状態を検出するようにする。
さらに、本発明は、少なくとも２つの連結された本体部材を有するものであればよい。
【００３９】
また、上記実施形態においては、キー入力部５における一部の入力操作を規制するとしたが、電話帳やメールの閲覧など一部の機能やアプリケーションのみを規制するようにしてもよい。
【図面の簡単な説明】
【００４０】
【図１】本実施形態における携帯電話機の全体構成を説明する図であって、（ａ）は携帯電話機の利用時の状態（開状態）を示す斜視図、（ｂ）は開状態から閉状態へ移行する途中の状態を示す斜視図、（ｃ）は収納時の状態（閉状態）を示す斜視図である。
【図２】本実施形態における携帯電話機のブロック図である。
【図３】ダイヤルロック機能の設定処理を示すフローチャートである。
【図４】Ｔ１とＴ２の関係を示す図である。
【符号の説明】
【００４１】
１００…携帯電話機（電子情報装置）、１…第１筐体（本体部材）、２…第２筐体（本体部材）、１００Ａ…携帯電話機本体（電子情報装置本体）、５…キー入力部（入力操作部）、２４…開閉検出センサ（検出手段）、２５Ａ…第１計時部（第１計時手段）、２５Ｂ…第２計時部（第２計時手段）、２８…キーロック制御部（制御手段）、Ｔ１…開状態から閉状態に変形するまでに要した時間（第１時間）、Ｔ２…ダイヤルロックタイマー（閉状態が検出されてからダイヤルロックが掛かるまでの時間：第２時間）
【図１】
0005232452.tif 000002
【図２】
0005232452.tif 000003
【図３】
0005232452.tif 000004
【図４】
0005232452.tif 000005